(57)【要約】      （修正有）【課題】カード式錠のキーカードの差し忘れを防止し、かつ安全であって使い易い錠装置を提供する。【解決手段】ケース３内にカード式錠１とシリンダー錠が装着されており、このカード式錠１のキーカード又はシリンダー錠のキーの操作によって施開錠可能状態と施開錠不可能状態に保持する作動プレート９を備えている。作動プレート９が施開錠可能状態にあるときに、作動プレート９に連動する揺動レバー１２をデッドボルトに連結されるハブディスク１３に係合させて施開錠可能にする。また、作動プレート９が施開錠不可能状態にあるときに、揺動レバー１２とハブディスク１３との係合を離脱させて開錠不可能にする。【選択図】図２
0003165139.tif 000002
【実用新案登録請求の範囲】
【請求項１】
ケース内にカード式錠とシリンダー錠が装着され、このカード式錠のキーカード又はシリンダー錠のキーの操作によって施開錠可能状態と施開錠不可能状態に保持する作動プレートを備え、作動プレートが施開錠可能状態にあるときに作動プレートに連動する揺動レバーをデッドボルトに連結されるハブディスクに係合させて施開錠可能にし、作動プレートが施開錠不可能状態にあるときに揺動レバーとハブディスクとの係合を離脱させて開錠不可能となるように構成したことを特徴とする錠装置。
【請求項２】
カード式錠の作動体に作動レバーを設け、この作動レバーを作動プレートに連結した請求項１に記載の錠装置。
【請求項３】
ケースに支持されたカム溝を有する回転カムに、シリンダー錠の内筒の端部に設けた係止部を連結し、この回転カムと作動プレート間に連結プレートを渡し、連結プレートの一端に設けた突起部が回転カムのカム溝に係合し、他端に設けた掛け孔が作動プレートの突片に係合した請求項１または２に記載の錠装置。
【請求項４】
揺動レバーは、ケースに回動可能に支持され作動プレートの移動によって揺動する一対の第１揺動レバーと、この一対の第１揺動レバーに係合可能な一対の第２揺動レバーを有し、この一対の第２揺動レバーは、ケース内を移動し第１揺動レバー方向に付勢された移動プレートに揺動可能に支持され、その第２揺動レバーに設けたカム面がハブディスクに設けたピンに離脱可能に係合する請求項１ないし３のいずれかに記載の錠装置。
【請求項５】
作動プレートに施開錠不可能状態方向に付勢するバネを設け、この作動プレートに離脱可能に係合し作動プレートを施開錠可能状態に保持する支持カムを設けた請求項１ないし４のいずれかに記載の錠装置。
【考案の詳細な説明】
【技術分野】
【０００１】
本考案は、カード式錠及びシリンダー錠を備え、これらの錠を操作して一旦施開錠可能状態にさせた上でレバーハンドルやノブの操作により施開錠するようにした錠装置に関する。
【背景技術】
【０００２】
錠装置として、カード式錠及びシリンダー錠を備えたものが知られている。また、本願出願人はこの種の錠装置として、特許第３８０９６３６号の特許を取得している。この錠装置は、カード式錠にキーカードを差し込んで開錠状態にし、このキーカードを抜くことによって施錠したり、また、シリンダー錠にキーを差し込み回転させて施錠し、このキーを逆方向に回転させて開錠したりするものであるが、居住者等がキーカードを使用する際に、キーカードから一旦手を離すことがあるために、うっかりキーカードを錠装置に差し込んだままで出かけてしまうということが間々発生していた。
【先行技術文献】
【特許文献】
【０００３】
【特許文献１】特許第３８０９６３６号公報
【考案の概要】
【考案が解決しようとする課題】
【０００４】
本考案は、これらの問題点を解消するものであり、カード式錠のキーカードの差し忘れを防止し、かつ安全であって使い易い錠装置を提供しようとするものである。
【課題を解決するための手段】
【０００５】
本考案は、カード式錠及びシリンダー錠を備えた錠装置であって、キーカードまたはキーの操作によって一旦施開錠可能状態に保持し、この状態においてレバーハンドルやノブの操作によって開錠することができ、かつ、施開錠不可能状態においてレバーハンドルやノブの操作をしても空回転して開錠することができないようにしたものである。また、キーカードをカード式錠に出し入れによって上記の施開錠可能状態を保持するようにしキーカードの差し忘れを防止するようにしたものである。
【考案の効果】
【０００６】
本考案は、キーカードまたはキーの操作によって施開錠可能状態が保持されるので、この状態でレバーハンドルやノブを操作して施開錠することができ、施開錠不可能状態ではレバーハンドルやノブを操作して開錠することができないので安全である。また、キーカードの出し入れによって施開錠可能状態が保持されるので、キーカードから手を離さずに施開錠することができ、キーカードの差し忘れを防止することができる。更に、キーカードの使用者がレバーハンドルやノブによる施錠を忘れても施開錠可能状態が保持されるので、第三者がレバーハンドルやノブを一旦操作しようとすると施錠されるので安心である。
【図面の簡単な説明】
【０００７】
【図１】錠装置をドアに取り付けた状態を示す斜面図である。
【図２】施開錠不可能状態にある錠装置（上部ケースを取り除いた状態）と、下部ケースの一部を被う支持プレートの裏面を示す平面図である。
【図３】図２に示す錠装置において、作動プレートを移動させ施開錠可能状態にした状態を示す平面図である。
【図４】図３において、レバーハンドルを操作しデッドボルトに連結するハブディスクを回転させて開錠した状態を示す平面図である。
【図５】図４において、施開錠可能状態に戻した状態を示す平面図である。
【図６】図５において、レバーハンドルを操作した場合を示す平面図である。
【図７】移動プレートの他の例を示す平面図である。
【図８】カード式錠とシリンダー錠を装着した上部ケースを示す斜面図である。
【図９】図８に示す上部ケースの平面図である。
【図１０】シリンダー錠を装着した上部ケースを示す分解斜面図である。
【図１１】シリンダー錠と連結プレートの連結状態を示す拡大断面図である。
【考案を実施するための形態】
【０００８】
カード式錠１とシリンダー錠２はケース３内に装着されており、実施例では、図１に示すように、ケース３は、ニ分割された上部ケース４と、下部ケース５を備えており、この上部ケース４の上方側上部ケース６内（図面上において上方、以下、図面上において上下左右を表記する）にカード式錠１が装着され、下方側上部ケース７内にシリンダー錠２が装着されている。
【０００９】
カード式錠１は、特許文献１にも記載されているように、錠内にコードカード、コード孔に係合するボール、作動体の移動を規制するピン、ピンを挿入する長孔、ピンをボール側に付勢するバネ等を備えており、この錠にキーカード８を抜き差しすることによって施錠、開錠するようにしたものである。また、シリンダー錠２は、マンション等の管理者のマスターキー用として用いられるものである。
【００１０】
上記カード式錠１の操作により錠装置を施開錠可能状態及び施開錠不可能状態にする場合について、以下図２〜図５を用いて説明する。
錠装置は、図２に示すように、カード式錠１のキーカード８の操作によって錠装置を施開錠可能状態の位置と施開錠不可能状態の位置に移動する作動プレート９と、下部ケース５に支持され作動プレート９の移動に伴って揺動する一対の第１揺動レバー１０と、下部ケース５内で移動する移動プレート１１に支持され上記一対の第１揺動レバー１０に離脱可能に係合する一対の第２揺動レバー１２と、この一対の第２揺動レバーに交互に離脱可能に係合して回動されるハブディスク１３を備えている。
【００１１】
図２は、錠装置が施開錠不可能状態にある場合（作動プレートが上方に位置する場合）を示している。即ち、この場合、デッドボルト１４は突出していて施錠状態にある。この状態では、作動プレート９は、引っ張りバネ１５で上方に付勢されており、この作動プレート９の係合孔１６に、カード式錠１のキーカード８の出し入れによって上下方向に移動する作動レバー１７の突片１８が係合している。また、第１揺動レバー１０の上方側の切り欠き溝１９が作動プレート９の作動子２０に嵌合し、この第１揺動レバー１０の下方側の突子２１が第２揺動レバー１２の上方側の切り欠き溝２２に係合している。なお、第２揺動レバー１２の下部側は、バネ２３によって外方に付勢され、第２揺動レバー１２のカム面２４が下部ケース５の側面方向に位置するようになっている。また、第２揺動レバー１２を支持する移動プレート１１は、後述するように圧縮バネ２５によって上方に付勢され、常時、第１揺動レバー１０と第２揺動レバー１２が係合するようになっている。
【００１２】
次に、カード式錠１にキーカード８を一旦差し込んでこれを引き出すと、図３に示すような施開錠可能状態が形成される。このキーカード８の出し入れにより作動プレート９が下方に移動し、作動プレート９の作動子２０により第１揺動レバー１０の下部が外方に遥動し、これに伴って第２揺動レバー１２の下部が内方に遥動して第２揺動レバー１２のカム面２４がハブディスク１３の一対のピン中、一方のピンに係合可能な位置に移動する。なお、作動プレート９は、下部ケース５に支持された支持カム２７の凸部２８を作動プレート９の凹部２９に係合させこれをバネ３０で付勢することによって施開錠可能状態に保持されている。
【００１３】
ここで、図４に示すようにレバーハンドル３１を操作しハブディスク１３を回転させると、第２揺動レバー１２が移動プレート１１と共に移動して第２揺動レバー１２の切り欠き溝２２が第１揺動レバー１０の突子２１から離脱し、第２揺動レバー１２のカム面２４がハブディスク１３のピン２６を押す。これによってハブディスク１３が回転し、これに連動するデッドボルト１４が引込められて開錠状態になる。この場合、上記移動プレート１１が下方に移動し、移動プレート１１の上部に形成されたカム面３２が支持カム２７を作動し支持カム２７の凸部２８が作動プレート９の凹部２９から離脱し、作動プレート９が引っ張りバネ１５によって元の位置に戻る。なお、レバーハンドル３１の操作時には、これに連結するラッチボルト３３もデッドボルト１４と同時に引っ込み位置に移動する。
【００１４】
この状態でレバーハンドル３１から手を離すと、図５に示すように、移動プレート１１は圧縮バネ２５の作用によって上方に移動し、第１揺動レバー１０と第２揺動レバー１２が再び係合する状態、即ち図２に示すような元の状態になる。ただし、一対のピン２６の位置は逆の位置になっており、次のレバーハンドル３１の操作時において、他方のピンに第２揺動レバーが係合するようになっている。なお、ハブディスク１３の回転は、ハブディスク１３に形成した切り欠き部３４を下部ケース５に支持したピンに係合させることによって規制されている。
【００１５】
ここで、レバーハンドル３１の操作によって移動プレート１１を移動させる場合について説明する。
移動プレート１１とレバーハンドル３１に連結するハブディスク１３は、連結部材３６を介して連結されている。即ち、連結部材３６の両側に形成された切り欠き部３７の上端部の起立片３８が移動プレート１１の両側に形成された切り欠き部３９の上端部に当接し、連結部材３６の下端部に形成された起立片４０がレバーハンドル３１のハブディスク１３に当接している。この連結部材３６の上端部の起立片３８と、図２に示す支持プレート４１の切り欠き部の上端部に形成された起立片４３の間に圧縮バネ２５が挿入されている。これによって移動プレート１１は常時上方に付勢され、第１揺動レバー１０の突子２１が第２揺動レバー１２の切り欠き溝２２に嵌合する。
また、移動プレート１１がレバーハンドル３１によるハブディスク１３の回転操作及び上記圧縮バネ２５によって上下方向に移動できるように、移動プレート１１と連結部材３６が作動カム４４を介して連結されている。この場合、下部ケース５に軸４５で回動可能に支持された作動カム４４の案内軸４６を連結部材３６のＴ字状の案内溝４７に案内し、一方上記移動プレート１１には、その作動カム４４の軸４５を案内する溝４８と、作動カム４４のカム軸４９を案内するカム溝５０が形成されている。
【００１６】
図７は、移動プレート１１の他の例を示し、移動プレート１１の側面に形成した切り欠き部５１に圧縮バネ２５を挿入し、この圧縮バネ２５の一方端を移動プレートの起立部５２で支持すると共に圧縮バネ２５の側面を移動プレート１１の側面起立部５３で支持するようにしている。また、移動プレート１１の下部に形成した起立部５４にハブディスク１３を当接させている。この移動プレート１１用いることにより、上記連結部材３６及び作動カム４４を省略することができる。
【００１７】
上記作動プレート９の移動は、上記シリンダー錠２からも行うことができるようになっている。その構成及び操作について以下図８〜図１１を用いて説明する。
シリンダー錠２は、上部ケース４のシリンダーケース部５５に挿入されており、挿入の際に、シリンダー錠２を施錠状態にしてシリンダーケース部５５内の突部５６にシリンダー錠２の溝５７が係合するように差し込み、シリンダー錠２の内筒５８の端部に設けた係止部５９を、上部ケース４に形成した細溝６０に挿入する係止プレート６１の係止孔６２と、その細溝６０に連通する溝孔６３に挿入した回転カム６４の孔６５に係合させている。
【００１８】
上記回転カム６４と、作動プレート９に設けた突片６６との間には、連結プレート６７が渡されており、その連結プレート６７の一方側端部に設けた突起部が回転カム６４のカム溝６９に係合し、連結プレート６７の他方端部に設けた掛け孔７０が作動プレート９の突片６６に係合している。したがって、シリンダー錠２を施錠状態及び開錠状態にすることにより連結プレート６７を介して作動プレート９を施開錠可能状態及び施開錠不可能状態に移動することができる。なお、回転カム６４には、クリック機構が設けられており、シリンダーケース部内に設けられバネ７１で付勢されたボール７２が回転カム６９の凹溝７３に係合している。
【００１９】
シリンダー錠２は、上記のように、施錠状態では、シリンダー錠２の係止部５９が係止プレート６１の係止孔６２と一致しているのでシリンダー錠２を引き出して交換することができるが、開錠状態では、シリンダー錠の係止部５９が係止プレート６１の係止孔６２からずれるので係止プレート６１によってシリンダー錠２の取り出し方向への移動が阻止され、シリンダー錠２の取り出しが防止される。この場合、シリンダーケース部５５の長溝７４に装着した係止バネ７５をシリンダー錠２の外筒に形成した平坦部７７に当ててシリンダー錠２の取り出しを更に防止している。なお、この係止バネ７による係止状態を解除する場合は、上部ケース４の端面に形成した孔７８に棒７９を差し込み、係止バネ７５を持ち上げてその係止を解くようにする。なお、上記シリンダー錠２は、マスターキー用としてのみならず通常の錠としても用いることができる。
【００２０】
錠装置は、上記のようにカード式錠１にキーカード８を挿入しこれを引き出した状態で、またはシリンダー錠２をキー８０で施錠した状態で作動プレート９を施開錠可能状態とすることができ、レバーハンドル３１（あるいはノブ）の操作によりこれに連動するデッドボルト１４を作動させて開錠することができる。また、カード式錠１またはシリンダー錠２による上記の操作がされない場合には、作動プレート９が施開錠不可能状態にあり、レバーハンドル３１（あるいはノブ）を操作しても、図６に示すように第２遥動レバー１２のカム面２４が下部ケース５の両側面方向に開いてハブディスク１３に係合することがないので、デッドボルト１４を作動させて開錠させることができない。
【００２１】
なお、下方側上部ケース７には、プラグ８１が設けられており、錠装置が施開錠可能状態にあるときに、このプラグを回転させて上方側上部ケース６を開閉させ、カード式錠１のコードカードを交換することができる。
【符号の説明】
【００２２】
１  カード式錠    ２  シリンダー錠    ３  ケース    ８  キーカード    ９  作動プレート    １０  第１遥動レバー    １１  移動プレート    １２  第２遥動レバー    １３  ハブディスク    １４  デッドボルト    １５  バネ    １７  作動レバー    １８  突片    ２４  カム面    ２６  ピン    ２７  支持カム    ３１  レバーハンドル    ３３  ラッチボルト    ５９  係止部    ６６  突片    ６７  連結プレート    ６８  突起部    ６９  カム溝    ７０  掛け孔
【図１】
0003165139.tif 000003
【図２】
0003165139.tif 000004
【図３】
0003165139.tif 000005
【図４】
0003165139.tif 000006
【図５】
0003165139.tif 000007
【図６】
0003165139.tif 000008
【図７】
0003165139.tif 000009
【図８】
0003165139.tif 000010
【図９】
0003165139.tif 000011
【図１０】
0003165139.tif 000012
【図１１】
0003165139.tif 000013